(57)【要約】      （修正有）【課題】段ボールシートの表面に所望の印刷部を容易に形成することができる印刷部付き段ボールシートを提供する。【解決手段】段ボールシート本体１と、この段ボールシート本体の表面に設けられている印刷部２とを備える印刷部付き段ボールシート１０であって、印刷部が、第１の特色インクを用いた第１層と、この第１層の表面側に配置され、第２の特色インクを用いた第２層との積層構造を有する。【選択図】図１
0003234636.tif 000002
【実用新案登録請求の範囲】
【請求項１】
段ボールシート本体と、この段ボールシート本体の表面に設けられている印刷部とを備える印刷部付き段ボールシートであって、
上記印刷部が、第１の特色インクを用いた第１層と、この第１層の表面側に配置され、第２の特色インクを用いた第２層との積層構造を有する印刷部付き段ボールシート。
【請求項２】
上記第１の特色インクに含まれる複数の原色インクの種類と上記第２の特色インクに含まれる複数の原色インクの種類とが同じである請求項１に記載の印刷部付き段ボールシート。
【請求項３】
上記第１層における複数の原色インクの配合割合と上記第２層における複数の原色インクの配合割合とが異なる請求項２に記載の印刷部付き段ボールシート。
【請求項４】
上記原色インクとして白インクを含んでおり、
上記第１層に含まれている白インクの含有量と上記第２層に含まれている白インクの含有量との差の絶対値が１０質量％以下である請求項２又は請求項３に記載の印刷部付き段ボールシート。
【請求項５】
上記第１層が上記段ボールシート本体に直接積層され、かつ上記第２層が上記第１層に直接積層されている請求項１から請求項４のいずれか１項に記載の印刷部付き段ボールシート。
【考案の詳細な説明】
【技術分野】
【０００１】
本考案は、印刷部付き段ボールシートに関する。
【背景技術】
【０００２】
段ボールシートから組み立てられる箱体が、物品の保管、運搬等に広く用いられている。この段ボールシートには、内容物等を表示するための印刷部が設けられることがある（特許文献１参照）。
【先行技術文献】
【特許文献】
【０００３】
【特許文献１】特開２０１４−９９０号公報
【考案の概要】
【考案が解決しようとする課題】
【０００４】
上述の印刷部は、例えば複数の原色インクを調合して形成された特色インクの印刷によって形成される。しかしながら、通常段ボールシートは白色度が低いため、この段ボールシートに直接印刷部を形成しても所望の色を得難いことがある。
【０００５】
そのため、今日では、段ボールシートに白色の下地層を印刷し、この下地層の上に印刷部を設けることが行われている。
【０００６】
しかしながら、上述の下地層の上に特色インクを印刷すると、インクのはじきが生じることで、所望の印刷部を形成し難いおそれがある。
【０００７】
本考案は、このような不都合に鑑みてなされたものであり、段ボールシートの表面に所望の印刷部を容易に形成することができる印刷部付き段ボールシートを提供することを目的とする。
【課題を解決するための手段】
【０００８】
本考案の一態様に係る印刷部付き段ボールシートは、段ボールシート本体と、この段ボールシート本体の表面に設けられている印刷部とを備える印刷部付き段ボールシートであって、上記印刷部が、第１の特色インクを用いた第１層と、この第１層の表面側に配置され、第２の特色インクを用いた第２層との積層構造を有する。
【考案の効果】
【０００９】
本考案の一態様に係る印刷部付き段ボールシートは、段ボールシート本体の表面に所望の印刷部を容易に形成することができる。
【図面の簡単な説明】
【００１０】
【図１】図１は、本考案の一実施形態に係る印刷部付き段ボールシートを示す模式的平面図である。
【図２】図２は、図１の印刷部付き段ボールシートを組み立ててなる段ボール箱を示す模式的斜視図である。
【図３】図３は、図１の印刷部付き段ボールシートにおける印刷部の層構造を示す模式的断面図である。
【考案を実施するための形態】
【００１１】
［本考案の実施形態の説明］
最初に本考案の実施態様を列記して説明する。
【００１２】
本考案の一態様に係る印刷部付き段ボールシートは、段ボールシート本体と、この段ボールシート本体の表面に設けられている印刷部とを備える印刷部付き段ボールシートであって、上記印刷部が、第１の特色インクを用いた第１層と、この第１層の表面側に配置され、第２の特色インクを用いた第２層との積層構造を有する。
【００１３】
当該印刷部付き段ボールシートは、上記第２層と上記段ボールシート本体とが上記第１層を介して積層されているので、従来の下地層と印刷部との間で生じていたインクのはじきを抑制しつつ、上記第２の特色インクの色味を上記第２層に再現することができる。従って、当該印刷部付き段ボールシートによると、段ボールシート本体の表面に所望の印刷部を容易に形成することができる。
【００１４】
上記第１の特色インクに含まれる複数の原色インクの種類と上記第２の特色インクに含まれる複数の原色インクの種類とが同じであるとよい。このように、上記第１の特色インクに含まれる複数の原色インクの種類と上記第２の特色インクに含まれる複数の原色インクの種類とが同じであることによって、上記印刷部を所望の色に形成しやすい。
【００１５】
当該印刷部付き段ボールシートは、上記第１の特色インクに含まれる複数の原色インクの種類と上記第２の特色インクに含まれる複数の原色インクの種類とが同じである場合に、上記第１層における複数の原色インクの配合割合と上記第２層における複数の原色インクの配合割合とが異なるとよい。このように、上記第１の特色インクに含まれる複数の原色インクの種類と上記第２の特色インクに含まれる複数の原色インクの種類とが同じである場合に、上記第１層における複数の原色インクの配合割合と上記第２層における複数の原色インクの配合割合とが異なることによって、上記印刷部を所望の色に調整しやすい。
【００１６】
上記原色インクとして白インクを含んでおり、上記第１層に含まれている白インクの含有量と上記第２層に含まれている白インクの含有量との差の絶対値が１０質量％以下であるとよい。このように、上記原色インクとして白インクを含んでおり、上記第１層に含まれている白インクの含有量と上記第２層に含まれている白インクの含有量との差の絶対値が１０質量％以下であることによって、上記印刷部を所望の色に形成しやすい。
【００１７】
当該印刷部付き段ボールシートは、上記第１層が上記段ボールシート本体に直接積層され、かつ上記第２層が上記第１層に直接積層されているとよい。このように、当該印刷部付き段ボールシートは、上記第１層が上記段ボールシート本体に直接積層され、かつ上記第２層が上記第１層に直接積層されていることによって、上記印刷部を所望の色に形成しやすい。
【００１８】
［本考案の実施形態の詳細］
以下、適宜図面を参照しつつ、本考案の実施の形態を詳説する。
【００１９】
［印刷部付き段ボールシート］
図１の印刷部付き段ボールシート１０は、段ボールシート本体１と、段ボールシート本体１の表面に設けられている印刷部２とを備える。当該印刷部付き段ボールシート１０は、図２に示すように、段ボール箱２０に組み立て可能に構成されている。つまり、当該印刷部付き段ボールシート１０は、段ボール箱２０に組み立てられる箱用シートである。
【００２０】
段ボールシート本体１としては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。
【００２１】
印刷部２は、例えば段ボール箱２０に収容される内容物の名称や、この内容物に関する説明等を表示するために用いられる。印刷部２は、段ボールシート本体１の表面に設けられており、より詳しくは段ボールシート本体１のライナー上に配置されている。
【００２２】
図３に示すように、印刷部２は、第１の特色インクを用いた第１層２ａと、第１層２ａの表面側に配置され、第２の特色インクを用いた第２層２ｂとの積層構造を有する。すなわち、印刷部２は、段ボールシート本体１の表面側に第１層２ａ及び第２層２ｂがこの順で積層された積層体である。
【００２３】
通常段ボールシートは、クラフト色（黄土色）であるため、この段ボールシートに単層の印刷部を設けると、印刷部が黒味掛かってインクの色を再現し難い。一方、段ボールシートの表面に白色の下地層を設けることも考えられるが、この構成によると、下地層の表面でインクのはじきが生じることで、所望の印刷部を形成し難い。これに対し、当該印刷部付き段ボールシート１０は、段ボールシート本体１と第２層２ｂとの間に第１層２ａを介在させることで、従来の下地層と印刷部との間で生じていたようなインクのはじきを抑制しつつ、第２の特色インクの色味を第２層２ｂに再現することができる。
【００２４】
このように、当該印刷部付き段ボールシート１０において、第１層２ａは、第２層２ｂが所望の色を表現できるように設けられる中間層である。
【００２５】
上記第１の特色インク及び上記第２の特色インクは、それぞれ複数の原色インクを調合して形成されている。上記第１の特色インク及び上記第２の特色インクは、それぞれ有色インクである。
【００２６】
上記第１の特色インクに含まれる複数の原色インクの種類と、上記第２の特色インクに含まれる複数の原色インクの種類とは同じであることが好ましい。すなわち、上記第１の特色インク及び上記第２の特色インクは、互いに同じ色のインクを調合することで形成されていることが好ましい。この構成によると、段ボールシート本体１と第２層２ｂとの間に第１層２ａを介在することで、従来の下地層と印刷部との間で生じていたようなインクのはじきを抑制すると共に、第２の特色インクの色味を第２層２ｂに再現しやすい。その結果、印刷部２を所望の色に形成しやすい。
【００２７】
上記第１の特色インクに含まれる複数の原色インクの種類と上記第２の特色インクに含まれる複数の原色インクの種類とが同じである場合、第１層２ａにおける複数の原色インクの配合割合と第２層２ｂにおける複数の原色インクの配合割合とは異なることが好ましい。この構成によると、印刷部２を所望の色に調整しやすい。例えば、当該印刷部付き段ボールシート１０は、第１層２ａの明度Ｌ＊を第２層２ｂの明度Ｌ＊よりも低く抑えるように第１層２ａにおける複数の原色インクの配合割合と第２層２ｂにおける複数の原色インクの配合割合とを調整することで、上記第２の特色インクの色味を第２層２ｂに再現するための中間層として第１層２ａを機能させやすい。
【００２８】
上記第１の特色インク及び上記第２の特色インクは、原色インクとして白インクを含んでいることが好ましい。第１層２ａに含まれている白インクの含有量と第２層２ｂに含まれている白インクの含有量との差の絶対値の上限としては、１０質量％が好ましく、５質量％がより好ましい。上記差の絶対値が上記上限を超えると、上記第２の特色インクの色味を第２層２ｂに再現するための中間層として第１層２ａを機能させ難くなるおそれがある。
【００２９】
第１層２ａに含まれている白インクの含有量の下限としては、１５質量％が好ましく、２０質量％がより好ましい。一方、第１層２ａに含まれている白インクの含有量の上限としては、３０質量％が好ましく、２５質量％がより好ましい。また、第２層２ｂに含まれている白インクの含有量の下限としては、２０質量％が好ましく、２５質量％がより好ましい。一方、第２層２ｂに含まれている白インクの含有量の上限としては、３５質量％が好ましく、３０質量％がより好ましい。このように、第１層２ａ及び第２層２ｂに含まれている白インクの含有量を調整することで、上記第２の特色インクの色味を第２層２ｂに再現するための中間層として第１層２ａを機能させやすい。
【００３０】
第２層２ｂは第１層２ａに直接積層されている。これにより、上記第２の特色インクの色味を第２層２ｂに再現するための中間層として第１層２ａを機能させやすい。
【００３１】
また、当該印刷部付き段ボールシート１０は、第１層２ａが段ボールシート本体１に直接積層され、かつ第２層２ｂが第１層２ａに直接積層されている。この構成によると、印刷部２を所望の色に形成しやすい。
【００３２】
段ボールシート本体１に印刷部２を形成する方法としては、特に限定されるものではなく、例えばオフセット印刷、フレキソ印刷、グラビア印刷等の印刷方法を用いることができる。
【００３３】
＜利点＞
当該印刷部付き段ボールシート１０は、第２層２ｂと段ボールシート本体１とが第１層２ａを介して積層されているので、従来の下地層と印刷部との間で生じていたインクのはじきを抑制しつつ、上記第２の特色インクの色味を第２層２ｂに再現することができる。従って、当該印刷部付き段ボールシート１０によると、段ボールシート本体１の表面に所望の印刷部２を容易に形成することができる。
【００３４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３５】
上記実施形態では、当該印刷部付き段ボールシートが段ボール箱に組み立てられる構成について説明した。但し、当該印刷部付き段ボールシートは、必ずしも段ボール箱に組み立てられるように構成されていなくてもよい。当該印刷部付き段ボールシートは、例えば商品の表示パネル等として構成されていてもよい。また、当該印刷部付き段ボールシートが段ボール箱に組み立て可能に構成されている場合でも、組み立てられる段ボール箱の形状や、印刷部の配置は、特に限定されるものではない。
【００３６】
上記第１の特色インクに含まれる複数の原色インクの種類と上記第２の特色インクに含まれる複数の原色インクの種類とは同じでなくてもよい。当該印刷部付き段ボールシートは、上記第２の特色インクのはじきを抑制しつつ、上記第２の特色インクの色味を上記第２層に再現することができる場合であれば、上記第１の特色インクに含まれる複数の原色インクの種類と上記第２の特色インクに含まれる複数の原色インクの種類とを異ならせることも可能である。
【００３７】
当該印刷部付き段ボールシートは、上記第１層における複数の原色インクの配合割合と上記第２層における複数の原色インクの配合割合とを同じにすることも可能である。
【００３８】
上記原色インクの種類は、表現したい色に対応して選択可能である。例えば、上記第１の特色インク及び上記第２の特色インクの一方又は両方が、原色インクとして白インクを含まない構成を採用することも可能である。
【００３９】
当該印刷部付き段ボールシートにあっては、上記第１層が所望の機能を発揮できるように、上記第１層が上記段ボールシート本体に直接積層され、かつ上記第２層が上記第１層に直接積層されていることが好ましい。但し、当該印刷部付き段ボールシートにあっては、上記段ボールシート本体と上記第１層との間、或いは上記第１層と上記第２層との間に他の層を配置することも可能である。
【産業上の利用可能性】
【００４０】
以上のように、本考案の一態様に係る印刷部付き段ボールシートは、段ボール箱に組み立てられる箱用シートとして好適に用いられる。
【符号の説明】
【００４１】
１  段ボールシート本体
２  印刷部
２ａ  第１層
２ｂ  第２層
１０  印刷部付き段ボールシート
２０  段ボール箱
【図１】
0003234636.tif 000003
【図２】
0003234636.tif 000004
【図３】
0003234636.tif 000005